(57)【要約】【課題】誤操作によるデータ消失を確実に防止するために、ライトプロテクトスイッチを書き込み禁止位置に自動的に移動させることができるメモリカードコネクタを提供すること。【解決手段】メモリカードコネクタ１０１は、ライトプロテクトスイッチ１０５を備えるメモリカード１０４を挿入可能とされたメモリカードコネクタであって、メモリカードの挿入に連動して、ライトプロテクトスイッチのメモリカードコネクタ内における挿入方向側への移動を規制する当接部１１１ｂを有し、メモリカードの挿入過程において、メモリカードが挿入方向に押し込まれることで、当接部がライトプロテクトスイッチを書き込み禁止位置１０７へと移動させることを特徴とする。【選択図】        図１
2010079427.tif 000002
【特許請求の範囲】
【請求項１】
データの書き込みが可能な状態を示す書き込み可能位置とデータの書き込みが禁止される状態を示す書き込み禁止位置とに移動可能なライトプロテクトスイッチを備えるメモリカードを挿入可能とされたメモリカードコネクタであって、
前記メモリカードの挿入に連動して、前記メモリカードコネクタ内における前記ライトプロテクトスイッチの移動経路外から移動経路内へと移動して前記ライトプロテクトスイッチに当接することで、前記ライトプロテクトスイッチの前記メモリカードコネクタ内における挿入方向側への移動を規制する当接部を有し、
前記メモリカードの挿入過程において、前記ライトプロテクトスイッチに前記当接部を当接させた状態で前記メモリカードが前記挿入方向に押し込まれることで、前記当接部が前記ライトプロテクトスイッチを前記書き込み禁止位置へと移動させることを特徴とするメモリカードコネクタ。
【請求項２】
データの書き込みが可能な状態を示す書き込み可能位置とデータの書き込みが禁止される状態を示す書き込み禁止位置とに移動可能なライトプロテクトスイッチを備えるメモリカードを挿入可能とされたメモリカードコネクタであって、
前記メモリカードの挿入に連動して、前記メモリカードコネクタ内における前記ライトプロテクトスイッチの移動経路外から移動経路内へと移動して前記ライトプロテクトスイッチに当接することで、前記ライトプロテクトスイッチの前記メモリカードコネクタ内における挿入方向側への移動を規制する当接部を有し、
前記メモリカードの取り出し過程において、前記ライトプロテクトスイッチに前記当接部を当接させた状態で前記メモリカードが前記挿入方向に押し込まれることで、前記当接部が前記ライトプロテクトスイッチを前記書き込み禁止位置へと移動させることを特徴とするメモリカードコネクタ。
【請求項３】
データの書き込みが可能な状態を示す書き込み可能位置とデータの書き込みが禁止される状態を示す書き込み禁止位置とに移動可能とされたライトプロテクトスイッチを備えるメモリカードを挿入可能とされた挿入部と、
前記挿入部に挿入された状態のメモリカードの前記ライトプロテクトスイッチに当接して、前記書き込み可能位置から前記書き込み禁止位置に移動させる当接部と、
前記当接部による前記ライトプロテクトスイッチの移動を制御する制御部と、を有する電子機器。
【請求項４】
前記電子機器の電源のオン及びオフを切り替える際に操作される電源操作部をさらに有し、
前記制御部は、前記電源操作部の操作により電源がオフとされる際に前記当接部による前記ライトプロテクトスイッチの移動を制御することを特徴とする請求項３に記載の電子機器。
【請求項５】
前記挿入部に挿入されたメモリカードを取り出す際に操作される取出操作部と、
前記取出操作部が操作された際に前記挿入部に挿入されたメモリカードの取り出し動作を行う取出し機構と、をさらに有し、
前記制御部は、前記取出操作部が操作された際に前記当接部による前記ライトプロテクトスイッチの移動を制御することを特徴とする請求項３に記載の電子機器。
【発明の詳細な説明】
【技術分野】
【０００１】
この発明は、メモリカードコネクタ及び電子機器に関する。
【背景技術】
【０００２】
近年、パーソナルコンピュータ（以下、パソコンという。）、デジタルカメラ、携帯電話等の電子機器でデータを保存するための記憶装置として、メモリカードが用いられる。メモリカードは、機器から取り外し可能であり持ち運びも容易なため、データの移動に用いられる。
【０００３】
例えば、デジタルカメラで撮影した画像のデータを、メモリカードを用いてパソコンに移動して、パソコンのディスプレイ上に画像を表示させることが行われる。このメモリカードによるデータ移動の際や、移動先の電子機器でデータを取り扱う際に、誤操作によってメモリカードに保存されたデータを消去してしまう場合がある。また、メモリカードは、操作に不慣れな利用者にも普及してきており、誤操作によるデータ消失を防ぐ必要がある。
【０００４】
このような誤操作によるデータ消失を防ぐために、メモリカードにはライトプロテクトスイッチが備えられている。ライトプロテクトスイッチを書き込み可能位置から書き込み禁止位置に移動することで、メモリカードへのデータの書き込みが禁止される書き込み禁止状態に設定できる（特許文献１参照）。
【０００５】
しかしながら、メモリカードを書き込み禁止状態に設定するためには、ライトプロテクトスイッチを書き込み可能位置から書き込み禁止位置に手動で移動しなければならないため、利用者がライトプロテクトスイッチの移動を忘れた場合には、誤操作によるデータ消失を防ぐことができないという問題がある。
【０００６】
【特許文献１】特開２００１−１８８７０１号公報
【発明の開示】
【発明が解決しようとする課題】
【０００７】
本発明は、誤操作によるデータ消失を確実に防止するために、ライトプロテクトスイッチを書き込み禁止位置に自動的に移動させることができるメモリカードコネクタ及び電子機器を提供することを目的とする。
【課題を解決するための手段】
【０００８】
本願発明の一態様によれば、データの書き込みが可能な状態を示す書き込み可能位置とデータの書き込みが禁止される状態を示す書き込み禁止位置とに移動可能なライトプロテクトスイッチを備えるメモリカードを挿入可能とされたメモリカードコネクタであって、メモリカードの挿入に連動して、メモリカードコネクタ内におけるライトプロテクトスイッチの移動経路外から移動経路内へと移動してライトプロテクトスイッチに当接することで、ライトプロテクトスイッチのメモリカードコネクタ内における挿入方向側への移動を規制する当接部を有し、メモリカードの挿入過程において、ライトプロテクトスイッチに当接部を当接させた状態でメモリカードが挿入方向に押し込まれることで、当接部がライトプロテクトスイッチを書き込み禁止位置へと移動させることを特徴とするメモリカードコネクタが提供される。
【０００９】
また、本願発明の一態様によれば、データの書き込みが可能な状態を示す書き込み可能位置とデータの書き込みが禁止される状態を示す書き込み禁止位置とに移動可能なライトプロテクトスイッチを備えるメモリカードを挿入可能とされたメモリカードコネクタであって、メモリカードの挿入に連動して、メモリカードコネクタ内におけるライトプロテクトスイッチの移動経路外から移動経路内へと移動してライトプロテクトスイッチに当接することで、ライトプロテクトスイッチのメモリカードコネクタ内における挿入方向側への移動を規制する当接部を有し、メモリカードの取り出し過程において、ライトプロテクトスイッチに当接部を当接させた状態でメモリカードが挿入方向に押し込まれることで、当接部がライトプロテクトスイッチを書き込み禁止位置へと移動させることを特徴とするメモリカードコネクタが提供される。
【００１０】
また、本願発明の一態様によれば、データの書き込みが可能な状態を示す書き込み可能位置とデータの書き込みが禁止される状態を示す書き込み禁止位置とに移動可能とされたライトプロテクトスイッチを備えるメモリカードを挿入可能とされた挿入部と、挿入部に挿入された状態のメモリカードのライトプロテクトスイッチに当接して、書き込み可能位置から書き込み禁止位置に移動させる当接部と、当接部によるライトプロテクトスイッチの移動を制御する制御部と、を有する電子機器が提供される。
【発明の効果】
【００１１】
本発明によれば、メモリカードをメモリカードコネクタに挿入する際に、ライトプロテクトスイッチが当接部によって自動的に書き込み禁止位置に移動されるので、メモリカードの取り出し時には必ず書き込み禁止状態に設定される。これにより、メモリカードが他の電子機器等に差し替えて使用される場合に、誤操作によるデータ消失を防ぐことができるという効果を奏する。
【００１２】
また、本発明によれば、メモリカードを取り出す際に、ライトプロテクトスイッチが当接部によって自動的に書き込み禁止位置に移動されるので、メモリカードの取り出し時には必ず書き込み禁止状態に設定される。これにより、メモリカードが他の電子機器等に差し替えて使用される場合に、誤操作によるデータ消失を防ぐことができるという効果を奏する。また、メモリカードが取り出されるまでは、書き込み禁止状態に設定されないので、本発明のメモリカードコネクタを有する電子機器、例えば、デジタルカメラ等において、書き込み禁止状態を無視する機構を設けなくとも、撮影した画像データをメモリカードに書き込むことができる。
【００１３】
また、本発明によれば、挿入部に挿入された状態のメモリカードのライトプロテクトスイッチが、制御部に制御された当接部によって自動的に書き込み禁止位置に移動されるので、メモリカードが他の電子機器等に差し替えて使用される場合に、誤操作によるデータ消失を防ぐことができるという効果を奏する。
【発明を実施するための最良の形態】
【００１４】
以下に添付図面を参照して、この発明にかかるメモリカードコネクタの最良な実施の形態を詳細に説明する。
【００１５】
（第１の実施の形態）
図１は、本発明の第１の実施の形態に係るメモリカードコネクタ１０１の概略構成を示す図である。メモリカードコネクタ１０１には、メモリカード１０４が挿入可能となっており、メモリカードコネクタ１０１を介してデータの書き込み・読み出しが行われる。
【００１６】
まず、メモリカードコネクタ１０１に挿入されるメモリカード１０４について説明する。メモリカード１０４は、メモリカードコネクタ１０１に挿入されて使用される記憶装置である。メモリカード１０４は、内部にＮＡＮＤ型フラッシュメモリ等の記憶手段を備えており、例えば、デジタルカメラで撮影した画像のデータ等を保存することができる。メモリカードは、機器から取り外し可能となっている。なお、メモリカード１０４の挿入方向側を先端側とし、その反対側を後端側として定義する。
【００１７】
メモリカード１０４には、メモリカード１０４へのデータの書込みが可能な書き込み可能状態又はデータの書き込みが禁止される書込み禁止状態を示すライトプロテクトスイッチ１０５が設けられている。ライトプロテクトスイッチ１０５は、メモリカードコネクタ１０１に対してメモリカード１０４の挿入方向に沿った方向に移動可能となっている。ライトプロテクトスイッチ１０５が先端側に移動した位置が、メモリカード１０４へのデータの書き込み可能状態を示す書き込み可能位置１０６となる。一方、ライトプロテクトスイッチ１０５が後端側に移動した位置が、メモリカード１０４へのデータの書込み禁止状態を示す書き込み禁止位置１０７となる。
【００１８】
例えば、メモリカード１０４が挿入された状態において、メモリカードコネクタ１０１側でライトプロテクトスイッチ１０５の位置が判定される。ライトプロテクトスイッチ１０５が書き込み禁止位置にあると判定された場合には、メモリカード１０４に対するライトコマンドがメモリカードコネクタ１０１側で無効化されて、メモリカード１０５へのデータの書込みが行われないようにされる。
【００１９】
次に、メモリカードコネクタ１０１の構成を説明する。メモリカードコネクタ１０１は、コネクタ本体１０２、切替機構部１０８を有して大略構成される。
【００２０】
コネクタ本体１０２には、メモリカード１０４が挿入可能とされた挿入部１０２ａが形成されている。挿入部１０２ａの内部にメモリカード１０４を収容可能となっている。
【００２１】
切替機構部１０８は、本体部１１１、圧縮バネ１０９を有して構成される。本体部１１１は、軸１１１ｃを中心として回転可能とされて挿入部１０２ａの内部に設けられる。本体部１１１は、その一端側に受け部１１１ａを備える。受け部１１１ａは、挿入された状態におけるメモリカード１０４側に突出形成される。後に詳説する圧縮バネ１０９の作用により、メモリカード１０４の未挿入時には、メモリカードコネクタ１０１内におけるライトプロテクトスイッチ１０５の移動経路内（図１における二点鎖線の間）に位置する。また、受け部１１１は、メモリカード１０４の挿入時に、メモリカード１０４の先端側に押し込まることで、ライトプロテクトスイッチ１０５の移動経路外に移動される。
【００２２】
本体部１１１は、受け部１１１ａに対して軸１１１ｃを挟んだ他端側に、挿入された状態におけるメモリカード１０４側に突出形成された当接部１１１ｂを備える。当接部１１１ｂは、後に詳説する圧縮バネ１０９の作用により、メモリカード１０４の未挿入時には、メモリカードコネクタ１０１内におけるライトプロテクトスイッチ１０５の移動経路外に位置する。
【００２３】
また、当接部１１１ｂは、メモリカード１０４の挿入時に受け部１１１ａが移動し、本体部１１１が回転することで、ライトプロテクトスイッチ１０５の移動経路外から移動経路内へと移動する。
【００２４】
圧縮バネ１０９は、本体部１１１の受け部１１１ａが形成された一端側と挿入部１０２ａの内壁との間に配置される。圧縮バネ１０９は、受け部１１１ａをライトプロテクトスイッチ１０５の移動経路側に向けて付勢する。すなわち、圧縮バネ１０９は、メモリカード１０４の未挿入時において、受け部１１１ａをライトプロテクトスイッチ１０５の移動経路内に位置させる機能を発揮する。
【００２５】
次に、メモリカード１０４の挿入過程において、当接部１１１ｂがライトプロテクトスイッチ１０５を書き込み禁止位置に移動させる動作について図面を用いて説明する。
【００２６】
図２は、メモリカード１０４がメモリカードコネクタ１０１に挿入されてメモリカード１０４の先端側が受け部１１１ａに押し当てられた状態を示す図である。メモリカード１０４の挿入時には、当接部１１１ｂはライトプロテクトスイッチ１０５の移動経路外に位置しているので、メモリカード１０４の先端側が受け部１１１ａに押し当てられるまでは、メモリカード１０４の挿入に干渉しない。
【００２７】
図３は、メモリカード１０４の先端側が受け部１１１ａに押し当てられた状態（図２の状態）でさらにメモリカード１０４が挿入方向側に押し込まれた状態を示す図である。メモリカード１０４がさらに押し込まれることで、受け部１１１ａが圧縮バネ１０９の付勢力に抗してライトプロテクトスイッチ１０５の移動経路外へと移動される。受け部１１１ａがライトプロテクトスイッチ１０５に移動経路外に移動すると、本体部１１１が回転し、当接部１１１ｂがライトプロテクトスイッチ１０５の移動経路内に移動してライトプロテクトスイッチ１０５に当接する。これにより、当接部１１１ｂによって、メモリカードコネクタ１０１内におけるライトプロテクトスイッチ１０５の挿入方向側への移動が規制される。
【００２８】
図４は、ライトプロテクトスイッチ１０５に当接部１１１ｂを当接させた状態（図３の状態）で、さらにメモリカード１０４が挿入方向側に押し込まれた状態を示す図である。ライトプロテクトスイッチ１０５の挿入方向側への移動が当接部１１１ｂによって規制されているので、メモリカード１０４がさらに押し込まれると、メモリカード１０４のライトプロテクトスイッチ１０５以外の部分だけが挿入方向に移動する。すなわち、メモリカード１０４がさらに押し込まれることで、当接部１１１ｂが、ライトプロテクトスイッチ１０５を書き込み禁止位置１０７へと移動させる。
【００２９】
なお、メモリカードコネクタ１０１からメモリカード１０４を取り出せば、圧縮バネ１０９の付勢力によって受け部１１１ａがライトプロテクトスイッチ１０５移動経路内に移動するので、切替機構部１０８はメモリカード１０４の挿入前の状態（図１の状態）に復帰する。
【００３０】
以上説明したように、メモリカードコネクタ１０１にメモリカード１０４を挿入すると、ライトプロテクトスイッチ１０５が当接部１１１ｂによって自動的に書き込み禁止位置１０７に移動されるので、メモリカード１０４の取り出し時には必ず書き込み禁止状態に設定されている。これにより、メモリカード１０４が他の電子機器等に差し替えて使用される場合に、誤操作によるデータ消失を防ぐことができる。
【００３１】
（第２の実施の形態）
本発明の第２の実施の形態について図面を用いて説明する。上記実施の形態と同一の部分には同一の符号を付し、重複する説明を省略する。第１の実施の形態は、メモリカード１０４の挿入時にライトプロテクトスイッチ１０５を書込み禁止位置に移動させるものであったが、第２の実施の形態では、メモリカード１０４の取り出し時にライトプロテクトスイッチ１０５を書込み禁止位置に移動させることを特徴とする。
【００３２】
図５は、本発明の第２の実施の形態に係るメモリカードコネクタ２０１の概略構成を示す図である。メモリカードコネクタ２０１では、いわゆるプッシュロック−プッシュイジェクト方式と呼ばれるメモリカード１０４の挿入―取り出し方式が採用されている。メモリカードコネクタ２０１は、コネクタ本体１０２、切替機構部２０２、ガイド部２０３、ガイド側引張バネ２０５、ロッド部２０６を有して大略構成される。
【００３３】
切替機構部２０２は、本体部２１１、切替機構側引張バネ２０８を備える。本体部２１１は、第１の実施の形態で説明したものと同様に、突出形成された当接部２１１ｂを備え、軸２１１ｃを中心に回転可能とされている。本体部２１１は、当接部２１１ｂに対して軸２１１ｃを挟んだ他端側がロッド部２０６と連結されている。また、本体部２１１のうちロッド部２０６と連結された側は、切替機構側引張バネ２０８に引っ張られて、矢印Ｘに示す方向に向けて付勢されている。
【００３４】
ガイド部２０３は、挿入部１０２ａの内部に配置されて、ガイド側引張バネ２０５によってメモリカード１０４の取り出し方向に向けて付勢されている。これにより、ガイド部２０３は、メモリカード２０４の挿入・取り出しに合わせて、メモリカード１０４の挿入方向に沿って移動する。ガイド部２０３には、後述するロッド部２０６の案内軸２０６ｃを嵌め込むための溝カム２０４が形成されている。
【００３５】
ロッド部２０６は、第１ロッド２０６ａ、第２ロッド２０６ｂ、案内軸２０６ｃを備える。第１ロッド２０６ａは、切替機構部２０２の本体部２１１と案内軸２０６ｃとを連結する。第２ロッド２０６ｂは、挿入部１０２ａの挿入方向奥側の内壁と案内軸２０６ｃとを連結する。案内軸２０６ｃは、ガイド部２０３の溝カム２０４に嵌め込まれる。案内軸２０６ｃは、第１ロッド２０６ａを介して切替機構部２０２の本体部２１１と連結されているので、切替機構部側引張バネ２０８の作用により矢印Ｘの示す方向に付勢される。これにより、案内軸２０６ｃは、ガイド部２０３の移動に合わせて、溝カム２０４内をスライド移動する。なお、メモリカード１０４が挿入されていない状態では、案内軸２０６ｃはＡ点に位置する。
【００３６】
ロッド部２０６は、上記構成により、切替機構部２０２の本体部２１１を回転させる機能、及び、ガイド部２０３の位置決めをする機能を発揮する。なお、これらの機能については後述する動作説明において詳説する。
【００３７】
次に、メモリカード１０４の取出し過程において、当接部１１１ｂがライトプロテクトスイッチ１０５を書き込み禁止位置に移動させる動作について図面を用いて説明する。
【００３８】
図６は、メモリカード１０４を挿入する際に、メモリカード１０４をメモリカードコネクタ２０１の奥まで押し込んだ状態を示す図である。この場合、溝カム２０４に対する案内軸２０６ｃの位置はＡ点からＢ点に変化する。しかし、案内軸２０６ｃのメモリカードコネクタ２０１に対する位置は変化していないため、切替機構部２０２の本体部２１１に形成された当接部２１１ｂは、メモリカードコネクタ２０１内におけるライトプロテクトスイッチ１０５の移動経路（図５における二点鎖線の間）外に位置したままである。
【００３９】
図７は、メモリカード１０４をメモリカードコネクタ２０１の奥まで押し込んだ状態（図６の状態）から、ガイド部２０３がガイド側引張バネ２０５に引っ張られてロック位置まで復帰した状態を示す図である。この場合、切替機構側引張バネ２０８の作用により、案内軸２０６ｃの溝カム２０４に対する位置はＢ点からＣ点へ変化する。案内軸２０６ｃは、Ｃ点においてガイド部２０３が必要以上に取り出し方向側に移動するのを規制して、メモリカードコネクタ２０１内におけるメモリカード１０４の位置を適切な位置（ロック位置）に保つ。つまり、利用者は、メモリカード１０４を一旦奥まで押し込んでから手を離すことで、メモリカード１０４をロック位置に位置させることができる。
【００４０】
また、案内軸２０６ｃがＣ点に移動することで、メモリカードコネクタ２０１に対する案内軸２０６ｃの位置も矢印Ｘが示す方向に移動する。案内軸２０６ｃの移動により、切替機構部２０２の本体部２１１が回転し、当接部２１１ｂが、ライトプロテクトスイッチ１０５の移動経路内に移動する。当接部２１１ｂが移動経路内に移動することで、当接部２１１ｂがライトプロテクトスイッチ１０５に当接する。これにより、当接部２１１ｂによって、メモリカードコネクタ２０１内におけるライトプロテクトスイッチ１０５の挿入方向側への移動が規制される。
【００４１】
図８は、メモリカード１０４を取り出す際に、メモリカード１０４がロック位置にある状態（図７の状態）から、メモリカード１０４をさらに押し込んだ状態を示す図である。ライトプロテクトスイッチ１０５の挿入方向側への移動が当接部２１１ｂによって規制されたままメモリカード１０４がさらに押し込まれるので、メモリカード１０４のライトプロテクトスイッチ１０５以外の部分だけが挿入方向に移動する。すなわち、メモリカード１０４がさらに押し込まれることで、当接部２１１ｂが、ライトプロテクトスイッチ１０５を書き込み禁止位置１０７へと移動させる。
【００４２】
なお、メモリカード１０４の取り出しは、利用者が図７の状態にあるメモリカード１０４を押し込んでから手を離すことで、案内軸２０６ｃがＤ点からＡ点に復帰して、メモリカード１０４が引き抜き可能な位置まで押し出されることにより可能となる。なお、案内軸２０６ｃがＤ点からＡ点に復帰する際に、当接部２１１ｂは移動経路外に移動するので、当接部２１１ｂがメモリカード１０４の取り出しの邪魔になることはない。
【００４３】
以上説明したように、メモリカードコネクタ２０１からメモリカード１０４を取り出す際に、ライトプロテクトスイッチ１０５が当接部２１１ｂによって自動的に書き込み禁止位置１０７に移動されるので、メモリカード１０４の取り出し時には必ず書き込み禁止状態に設定されている。これにより、メモリカード１０４が他の電子機器等に差し替えて使用される場合に、誤操作によるデータ消失を防ぐことができる。
【００４４】
また、第１の実施の形態に係るメモリカードコネクタを、例えばデジタルカメラ等の電子機器に設けた場合には、メモリカード１０４の挿入と同時に書込み禁止状態にされるので、書込み禁止状態を無視する機構を設けなければ、撮影した画像データ等をメモリカード１０４に保存できない。しかし、第２の実施の形態に係るメモリカードコネクタ２０１であれば、メモリカード１０４を取り出すまでは書き込み可能状態であるので、書込み禁止状態を無視するような機構を設ける必要がない。
【００４５】
（第３の実施の形態）
本発明の第３の実施の形態について図面を用いて説明する。上記実施の形態と同一の部分には同一の符号を付し、重複する説明を省略する。第１の実施の形態は、メモリカード１０４の挿入時にライトプロテクトスイッチ１０５を書込み禁止位置に移動させるものであり、第２の実施の形態は、メモリカード１０４の取り出し時にライトプロテクトスイッチ１０５を書込み禁止位置に移動させるものであったが、第３の実施の形態では、特定のイベント発生時に挿入状態にあるメモリカード１０４のライトプロテクトスイッチ１０５を書き込み禁止位置に移動させる切替機構部を備えることを特徴とする。
【００４６】
図９は、本発明の第３の実施の形態に係る電子機器内部の概略構成を示す図である。電子機器３０１は、挿入部３０１ａ、取出スイッチ（取出操作部）３０２、制御部３０３、切替機構制御回路３０４、切替機構部３１５を有して大略構成される。
【００４７】
挿入部３０１ａは、メモリカード１０４が挿入可能とされ、内部にメモリカード１０４を収容可能となっている。挿入部３０１ａに挿入された状態で、メモリカード１０４に対するデータの書き込みや読み出しが行われる。
【００４８】
取出スイッチ３０２は、電子機器３０１に挿入されたメモリカード１０４を取り出す際に利用者によって操作される。なお、電子機器３０１は、取出スイッチ３０２が操作された際に、メモリカード１０４を自動的に取り出す取出機構部も備えるが、図示及び詳細な説明については省略する。
【００４９】
制御部３０３は、後述する切替機構部３１５の当接部３０９の移動を制御する。制御部３０３は、取出スイッチ３０２が操作されると、切替機構制御回路３０４に向けて切替指令を送信する。
【００５０】
切替機構制御回路３０４は、制御部３０３からの切替指令に基づいて切替機構部３１５に対する通電等を行い、当接部３０９等を移動させる。
【００５１】
切替機構部３１５は、第１ソレノイド３０５、引張バネ３０６、スライド台３０７、第２ソレノイド３０８、当接部３０９、圧縮バネ３１０を備える。第１ソレノイド３０５は、切替機構制御回路３０４によって通電されると、スライド台３０７を矢印Ｐの示す方向に移動させる。引張バネ３０６は、スライド台３０７を矢印Ｑの示す方向に付勢する。
【００５２】
スライド台３０７は、切替機構部３１５に備えられ、矢印Ｐ、矢印Ｑの示す方向に往復移動可能となっている。スライド台３０７は、第１ソレノイド３０５に通電されてない時は、引張バネ３０６の作用により矢印Ｑに示す方向側に位置される。スライド台３０７は、第１ソレノイド３０５に通電されると、引張バネ３０６の付勢力に抗して矢印Ｐの示す方向側に移動される。
【００５３】
第２ソレノイド３０８は、スライド台３０７に備えられ、切替機構制御回路３０４によって通電されると、当接部３０９を矢印Ｒに示す方向に移動させる。圧縮バネ３１０は、スライド台３０７に備えられ、当接部３０９を矢印Ｓの示す方向に付勢する。
【００５４】
当接部３０９は、メモリカード１０４のライトプロテクトスイッチ１０５を書込み禁止位置に移動させる機能を有する。当接部３０９は、第１ソレノイド３０５に通電されていないときは、ライトプロテクトスイッチ１０５に当接しない位置にある。第１ソレノイド３０５に通電されてスライド台３０７が矢印Ｐの示す方向側に移動されると、当接部３０９はライトプロテクトスイッチ１０５に当接する。
【００５５】
当接部３０９がライトプロテクトスイッチ１０５に当接した状態で第２ソレノイド３０８に通電されると、当接部３０９は矢印Ｒに示す方向に移動して、ライトプロテクトスイッチ１０５を書き込み禁止位置に移動させる。
【００５６】
次に、当接部３０９がライトプロテクトスイッチ１０５を書き込み禁止位置に移動させる動作について図面を用いて説明する。
【００５７】
図１０は、第１ソレノイド３０５に通電された状態を示す図である。図１１は、第１ソレノイド３０５に通電された状態（図１０の状態）で、さらに第２ソレノイド３０８に通電された状態を示す図である。
【００５８】
挿入部３０１ａにメモリカード１０４が挿入された状態で、取出スイッチ３０２が操作されて制御部３０３から切替指令が送信されると、切替機構制御回路３０４は、まず、第１ソレノイド３０５に通電する。当接部３０９は、第１ソレノイド３０５に通電されていないときは、ライトプロテクトスイッチ１０５に当接しない位置にあるが、第１ソレノイド３０５に通電されてスライド台３０７が矢印Ｐの示す方向側に移動することで、ライトプロテクトスイッチ１０５に当接する。
【００５９】
次に、切替機構制御回路３０４は第２ソレノイド３０８に通電する。当接部３０９がライトプロテクトスイッチ１０５に当接した状態で第２ソレノイド３０８に通電されると、当接部３０９は矢印Ｒに示す方向に移動して、ライトプロテクトスイッチ１０５を書き込み禁止位置に移動させる。
【００６０】
以上説明したように、第３の実施の形態によれば、取出スイッチ３０２が操作された際に、挿入部３０１ａに挿入された状態のメモリカード１０４のライトプロテクトスイッチ１０５が、制御部３０３に制御された当接部３０９によって自動的に書き込み禁止位置に移動されるので、メモリカード１０４が他の電子機器等に差し替えて使用される場合に、誤操作によるデータ消失を防ぐことができる。
【００６１】
なお、第３の実施の形態では、ライトプロテクトスイッチ１０５を書き込み禁止位置１０７に移動させる特定のイベントを取出スイッチ３０２の操作としているが、これに限られない。例えば、電子機器３０１の電源のオン及びオフを切り替えるための電源スイッチ（電源操作部）の操作を特定イベントとして、ライトプロテクトスイッチ１０５を書き込み禁止位置に移動させるように構成してもよい。この場合、利用者が電子機器３０１の電源をオフに切り替えてから手動でメモリカード１０４を取り出す場合であっても、電源をオフに切り替えた時点でライトプロテクトスイッチ１０５を書き込み禁止位置に位置させることができ、誤操作によるデータ消失を防ぐことができる。
【図面の簡単な説明】
【００６２】
【図１】本発明の第１の実施の形態に係るメモリカードコネクタの概略構成を示す図。
【図２】メモリカードがメモリカードコネクタに挿入されてメモリカードの先端側が受け部に押し当てられた状態を示す図。
【図３】メモリカードの先端側が受け部に押し当てられた状態でさらにメモリカードが挿入方向側に押し込まれた状態を示す図。
【図４】ライトプロテクトスイッチに当接部を当接させた状態で、さらにメモリカードが挿入方向側に押し込まれた状態を示す図。
【図５】本発明の第２の実施の形態に係るメモリカードコネクタの概略構成を示す図。
【図６】メモリカードをメモリカードコネクタに奥まで押し込んだ状態を示す図。
【図７】メモリカードをメモリカードコネクタの奥まで押し込んだ状態から、ガイド部がロック位置まで復帰した状態を示す図。
【図８】メモリカードがロック位置にある状態から、メモリカードをさらに押し込んだ状態を示す図。
【図９】本発明の第３の実施の形態に係る電子機器内部の概略構成を示す図。
【図１０】第１ソレノイドに通電された状態を示す図。
【図１１】第１ソレノイドに通電された状態で、さらに第２ソレノイドに通電された状態を示す図。
【符号の説明】
【００６３】
１０１  メモリカードコネクタ、１０４  メモリカード、１０５  ライトプロテクトスイッチ、１０６  書き込み可能位置、１０７  書き込み禁止位置、１０８  切替機構部、１０９  圧縮バネ、１１１  本体部、１１１ａ  受け部、１１１ｂ  当接部、１１１ｃ  軸、２０１  メモリカードコネクタ、２０２  切替機構部、２０３  ガイド部、２０４  溝カム、２０５  ガイド側引張バネ、２０６  ロッド部、２０８  切替機構側引張バネ、２１１  本体部、２１１ｂ  当接部、２１１ｃ  軸、３０１  電子機器、３０２  取出スイッチ、３０３  制御部、３０５  第１ソレノイド、３０６  引張バネ、３０７  スライド台、３０８  第２ソレノイド、３０９  当接部、３１０  圧縮バネ、３１５  切替機構部
【図１】
2010079427.tif 000003
【図２】
2010079427.tif 000004
【図３】
2010079427.tif 000005
【図４】
2010079427.tif 000006
【図５】
2010079427.tif 000007
【図６】
2010079427.tif 000008
【図７】
2010079427.tif 000009
【図８】
2010079427.tif 000010
【図９】
2010079427.tif 000011
【図１０】
2010079427.tif 000012
【図１１】
2010079427.tif 000013